(57)【特許請求の範囲】
【請求項１】
光ファイバを保持するハウジングと、前記ハウジングとは別体に設けられ且つ該ハウジングに組み付けることにより前記光ファイバを該ハウジングに固定する固定部材と、を備え、
前記固定部材に、該固定部材における前記光ファイバの光軸方向の一端から該光軸方向に凸状に突出する係合部を形成し、
前記ハウジングに、該ハウジングにおける前記光軸方向先端側の内壁と、該内壁を凹状にして前記係合部を係合する被係合部とを設け、
前記固定部材を前記ハウジングに対して仮係合状態から本係合状態に係合状態を変化させて係合するにあたり、前記仮係合状態では前記内壁に前記係合部を係合し、前記本係合状態では前記被係合部に前記係合部を係合する
ことを特徴とする光コネクタ。
【請求項２】
請求項１に記載の光コネクタにおいて、
前記固定部材の前記光ファイバの光軸方向の他端側に、前記ハウジングに係合する第２の係合部を設けるとともに、前記ハウジングに、前記第２の係合部を係合する第２の被係合部を設け、
前記固定部材を前記ハウジングの装着部に圧入して保持される前記仮係合状態から、前記係合部を前記被係合部に係合し前記第２の係合部を前記第２の被係合部に係合することにより前記本係合状態に係合する
ことを特徴とする光コネクタ。
【請求項３】
請求項１又は２に記載の光コネクタにおいて、
前記係合部を、前記固定部材における前記係合部が設けられる部分の肉厚よりも小さい半径を有する半球状に形成する
ことを特徴とする光コネクタ。
【請求項４】
請求項１又は２に記載の光コネクタにおいて、
前記係合部を、前記固定部材における前記係合部が設けられる部分の肉厚よりも小さい半径を有する円柱状に形成し、該先端を球面状に形成する
ことを特徴とする光コネクタ。
【請求項５】
請求項１又は２に記載の光コネクタにおいて、
前記係合部を、前記固定部材における前記係合部が設けられる部分の肉厚よりも小さい半径を有する略円錐状に形成し、該先端を球面状に形成する
ことを特徴とする光コネクタ。
【請求項６】
請求項１、２、３、４又は５に記載の光コネクタにおいて、
前記ハウジングには、前記光ファイバに係合し前記ハウジングから前記光ファイバが該光軸方向に抜けるのを防止する光ファイバ係止部を設ける
ことを特徴とする光コネクタ。
【発明の詳細な説明】
【技術分野】
【０００１】
本発明は、ハウジングに光ファイバを保持した光コネクタに関する。
【背景技術】
【０００２】
従来、自動車の電装品間の通信に用いる電線から発生するノイズの低減を図るため、電線に代わって光ファイバを用いることが考えられる。この光ファイバは、光コネクタの嵌合構造よって光学的に接続する。
光コネクタの嵌合構造は、ハウジングに光ファイバを保持した二つの光コネクタをコネクタ嵌合することによって、各光コネクタの光ファイバ同士を光学的に接続する。
【０００３】
上記光コネクタとして、例えば、特許文献１に開示されているような技術が用いられてきた。
特許文献１に開示されている光コネクタ１００は、図１６及び図１７に図示するように、ハウジング１０１と、光ファイバケーブル１０２と、板バネ１０３と、固定部材１０４とを備えて構成されている。
光ファイバケーブル１０２は、一対の光ファイバ１０５の先端にフェルール１０６が装着されている。
【０００４】
ハウジング１０１は、図１６に図示するように、ハウジング嵌合部１０９と、フェルール収容部１１０と、を備えて構成されている。
ハウジング嵌合部１０９は、図１６に図示するように、嵌合相手となる光コネクタ（図示せず）に嵌合する部分として形成されている。
また、フェルール収容部１１０は、図１７に図示するように、ハウジング嵌合部１０９に連成され、光ファイバケーブル１０２のフェルール１０６（図１６参照）を保持収容する二つのフェルール保持収容室１１１を含んで形成されている。光ファイバ１０５の光軸方向におけるフェルール収容部１１０の後端側の内面左右両側には、被係合部（図示せず）が設けられている。被係合部は、後述する係合部１０８（図１６参照）が係合する部分として設けられている。
さらに、ハウジング１０１の下面には、図１７に図示するように、装着部１１２が形成されている。装着部１１２は、フェルール収容部１１０に連通して形成され、固定部材１０４を装着する部分として設けられている。
【０００５】
光ファイバ１０５の光軸方向における固定部材１０４の後端側の左右両側部には、図１６に図示するように、起立突起１０７が設けられている。起立突起１０７は、先端が弾性変位可能に形成され、それぞれ、係合部１０８が設けられている。起立突起１０７は、それぞれの係合部１０８が、ハウジング１０１に形成された被係合部に係合するように設けられている。
【０００６】
次に、固定部材１０４をハウジング１０１に組み付ける手順を説明する。
まず、作業者は、一対の光ファイバ１０５に装着した各フェルール１０６をフェルール収容部１１０に収容する。
そして、作業者は、図１６に図示する固定部材１０４を、図１７に図示するハウジング１０１の装着部１１２に嵌入する。すると、固定部材１０４の係合部１０８がハウジング１０１の被係合部に係合する。これにより、固定部材１０４は、図１７に図示するように、ハウジング１０１の装着部１１２に装着する。以上により、ハウジング１０１に対する固定部材１０４の組み付けが完了する。
このように、ハウジング１０１に組み付けられた固定部材１０４は、一対の光ファイバ１０５に装着したフェルール１０６を下方から支持することになる。したがって、固定部材１０４は、フェルール１０６をフェルール収容部１１０内に位置決めし、フェルール１０６がハウジング１０１から脱落するのを防ぐことができるようになっている。
【先行技術文献】
【特許文献】
【０００７】
【特許文献１】特開２０１２−１５０４２４号公報
【発明の概要】
【発明が解決しようとする課題】
【０００８】
特許文献１に開示されているような光コネクタ１００にあっては、固定部材１０４をハウジング１０１に装着する途中で、光ファイバ１０５がこの光ファイバ１０５の光軸方向に引っ張られることがある。光ファイバ１０５が光軸方向に引っ張られると、固定部材１０４が動くことがある。
このように、固定部材１０４が動くと、固定部材１０４がハウジング１０１から外れて落下することがあり、固定部材１０４を破損させてしまうような場合がある。このため、固定部材１０４を破損なく組み付ける組み付け作業性が悪いという問題点があった。
【０００９】
また、光コネクタ１００にあっては、光ファイバ１０５の光軸方向における固定部材１０４の後端側の左右両側部に係合部１０８が設けられている。それにより、固定部材１０４をハウジング１０１の装着部１１２に装着すると、固定部材１０４は、後端側で固定部材１０４全体を支持することになる。このように、固定部材１０４をハウジング１０１の装着部１１２に装着すると、固定部材１０４の先端側は、ハウジング１０１に固定されないことになる。
このような光コネクタ１００が外部からの衝撃を受けると、図１８に図示するように、固定部材１０４の先端側が下方へ落ち込むことがある。このように、固定部材１０４の先端側が下方へ落ち込むと、固定部材１０４がハウジング１０１の装着部１０９から垂れ下がってしまうという不具合が生じる場合がある。すなわち、このような不具合によっても、固定部材１０４をハウジング１０１に組み付ける組み付け作業性が悪くなるという問題点があった。
【００１０】
さらに、光コネクタ１００にあっては、上記の通り、光ファイバ１０５の光軸方向における固定部材１０４の後端側の左右両側部に係合部１０８が設けられているため、固定部材１０４をハウジング１０１の装着部１１２に装着すると、固定部材１０４は、先端側がハウジング１０１に固定されないことになる。
このような光コネクタ１００にあっては、ハウジング１０１に固定部材１０４を組み付けた後に、固定部材１０４の先端側がばたつくことがある。このように、固定部材１０４の先端側がばたつくと、固定部材１０４によって位置決めされているフェルール１０６がばたつくことがある。そして、フェルール１０６がばたつくと、フェルール１０６を装着した一対の光ファイバ１０５もばたつくことになる。このように、光ファイバ１０５がばたつくと、光コネクタ間での結合ばらつきが増えることがある。このため、システムリンクでの通信が不成立になるという問題点があった。
【００１１】
本発明は、上記した事情に鑑みてなされたもので、一つの課題は、組み付け作業性を向上することができる光コネクタを提供することにある。
他の一つの課題は、光コネクタ間での結合ばらつきを防ぎ、システムリンクの信頼性を向上することができる光コネクタを提供することにある。
【課題を解決するための手段】
【００１２】
上記課題を解決するためになされた請求項１記載の本発明の光コネクタは、光ファイバを保持するハウジングと、前記ハウジングとは別体に設けられ且つ該ハウジングに組み付けることにより前記光ファイバを該ハウジングに固定する固定部材と、を備え、前記固定部材に、該固定部材における前記光ファイバの光軸方向の一端から該光軸方向に凸状に突出する係合部を形成し、前記ハウジングに、該ハウジングにおける前記光軸方向先端側の内壁と、該内壁を凹状にして前記係合部を係合する被係合部とを設け、前記固定部材を前記ハウジングに対して仮係合状態から本係合状態に係合状態を変化させて係合するにあたり、前記仮係合状態では前記内壁に前記係合部を係合し、前記本係合状態では前記被係合部に前記係合部を係合することを特徴とする。
【００１３】
このような特徴を有する本発明は、固定部材をハウジングに仮係合状態にしてから、固定部材の係合部をハウジングの被係合部に係合して本係合状態にする。
【００１４】
請求項２記載の本発明の光コネクタは、請求項１に記載の光コネクタにおいて、前記固定部材の前記光ファイバの光軸方向の他端側に、前記ハウジングに係合する第２の係合部を設けるとともに、前記ハウジングに、前記第２の係合部を係合する第２の被係合部を設け、前記固定部材を前記ハウジングの装着部に圧入して保持される前記仮係合状態から、前記係合部を前記被係合部に係合し前記第２の係合部を前記第２の被係合部に係合することにより前記本係合状態に係合することを特徴とする。
【００１５】
このような特徴を有する本発明は、固定部材をハウジングの装着部に圧入して保持する仮係合状態にすることができる。そして、係合部を被係合部に係合し、第２の係合部を第２の被係合部に係合することにより仮係合状態から本係合状態に変化させて係合する。
【００１６】
請求項３記載の本発明の光コネクタは、請求項１又は２に記載の光コネクタにおいて、前記係合部を、前記固定部材における前記係合部が設けられる部分の肉厚よりも小さい半径を有する半球状に形成することを特徴とする。
【００１７】
このような特徴を有する本発明は、係合部を、固定部材における係合部が設けられる部分の肉厚よりも小さい半径を有する半球状に形成することができる。
【００１８】
請求項４記載の本発明の光コネクタは、請求項１又は２に記載の光コネクタにおいて、前記係合部を、前記固定部材における前記係合部が設けられる部分の肉厚よりも小さい半径を有する円柱状に形成し、該先端を球面状に形成することを特徴とする。
【００１９】
このような特徴を有する本発明は、係合部を、固定部材における係合部が設けられる部分の肉厚よりも小さい半径を有する円柱状に形成し、先端を球面状に形成することができる。
【００２０】
請求項５記載の本発明の光コネクタは、請求項１又は２に記載の光コネクタにおいて、前記係合部を、前記固定部材における前記係合部が設けられる部分の肉厚よりも小さい半径を有する略円錐状に形成し、該先端を球面状に形成することを特徴とする。
【００２１】
このような特徴を有する本発明は、係合部を、固定部材における係合部が設けられる部分の肉厚よりも小さい半径を有する略円錐状に形成し、先端を球面状に形成することができる。
【００２２】
請求項６記載の本発明の光コネクタは、請求項１、２、３、４又は５に記載の光コネクタにおいて、前記ハウジングには、前記光ファイバに係合し前記ハウジングから前記光ファイバが該光軸方向に抜けるのを防止する光ファイバ係止部を設けることを特徴とする。
【００２３】
このような特徴を有する本発明は、ハウジングに設けた光ファイバ係止部が光ファイバに係合しハウジングから光ファイバが光軸方向に抜けるのを防ぐ。
【発明の効果】
【００２４】
請求項１に記載された本発明によれば、固定部材をハウジングに仮係合状態にすることができる。そうすると、固定部材をハウジングに装着する途中で光ファイバが引っ張られても固定部材がハウジングから外れることがなくなる。このことから、固定部材がハウジングから落下して破損することがなくなる。したがって、従来よりも固定部材を破損なく組み付ける組み付け作業性の向上を図ることができるという効果を奏する。
【００２５】
請求項２に記載された本発明によれば、固定部材が仮係合状態のときに、固定部材は、ハウジングの装着部に圧入されて保持される。このことから、固定部材をハウジングに装着する途中で光ファイバが引っ張られても固定部材がハウジングから外れることをより確実に防ぐことができる。
また、本発明によれば、固定部材が本係合状態のときに、光ファイバの光軸方向における固定部材の一端側に形成された係合部がハウジングの被係合部に係合し、光ファイバの光軸方向における固定部材の他端側に形成された第２の係合部がハウジングの第２の被係合部に係合する。このことから、光コネクタが外部からの衝撃を受けても、光ファイバの光軸方向における固定部材の一端又は他端のいずれか一方が下方へ落ち込みハウジングの装着部から垂れ下がることがなくなる。
したがって、より確実に、固定部材をハウジングに組み付ける組み付け作業性の向上を図ることができるという効果を奏する。
さらに、本発明によれば、固定部材が本係合状態のときに、光ファイバの光軸方向における固定部材の一端側及び他端側をハウジングに係合して置くことができる。そのため、光コネクタが外部からの衝撃を受けても、光ファイバの光軸方向における固定部材の一端側又は他端側のいずれかが下方へ落ち込むことがなく、固定部材をハウジングの装着部に確実に組み付けておくことができる。そうすることにより、固定部材によって光ファイバをハウジングに確実に固定することができる。このことから、光ファイバのばたつきや、光軸ズレを防ぐことができる。したがって、光コネクタ間での結合ばらつきを防ぎ、システムリンクの信頼性を向上することができるという効果を奏する。
【００２６】
請求項３に記載された本発明によれば、係合部は、固定部材における係合部が設けられる部分の肉厚よりも小さい半径を有する半球状に形成される。このことから、ハウジングに対する固定部材の組み付けが容易となる。したがって、固定部材をハウジングに組み付ける組み付け作業性のさらなる向上を図ることができるという効果を奏する。
【００２７】
請求項４に記載された本発明によれば、係合部は、固定部材における係合部が設けられる部分の肉厚よりも小さい半径を有する円柱状に形成され、先端が球面状に形成される。このことから、ハウジングに対する固定部材の組み付けが容易となる。したがって、固定部材をハウジングに組み付ける組み付け作業性のさらなる向上を図ることができるという効果を奏する。
【００２８】
請求項５に記載された本発明によれば、係合部は、固定部材における係合部が設けられる部分の肉厚よりも小さい半径を有する略円錐状に形成され、先端が球面状に形成される。このことから、ハウジングに対する固定部材の組み付けが容易となる。したがって、固定部材をハウジングに組み付ける組み付け作業性のさらなる向上を図ることができるという効果を奏する。
【００２９】
請求項６に記載された本発明によれば、ハウジングに設けた光ファイバ係止部が光ファイバに係合しハウジングから光ファイバが光軸方向に抜けるのを防止することができる。このことから、光ファイバのばたつきや、光軸ズレを、より確実に防ぐことができる。したがって、光コネクタ間での結合ばらつきを、より確実に防ぎ、システムリンクの信頼性を、より向上することができるという効果を奏する。
【図面の簡単な説明】
【００３０】
【図１】本発明の第１光コネクタの実施例１を示す分解斜視図である。
【図２】第１ハウジングを斜め後方から視た斜視図である。
【図３】第１固定部材を斜め前方から視た斜視図である。
【図４】第１ハウジングに第１固定部材を組み付ける前の状態を示す断面図である。
【図５】第１ハウジングに第１固定部材を仮係合した状態を図示する断面図である。
【図６】第１ハウジングに第１固定部材を本係合した状態を示す断面図である。
【図７】第２光コネクタの分解斜視図である。
【図８】第２ハウジングを斜め後方から視た斜視図である。
【図９】第２固定部材を斜め後方から視た斜視図である。
【図１０】（ａ）は第２ハウジングに第２固定部材を仮係合した状態を図示する断面図、（ｂ）は第２ハウジングに第２固定部材を本係合した状態を図示する断面図である。
【図１１】第２固定部材が仮係合状態で第１光コネクタと第２光コネクタとが嵌合を開始した場合の光コネクタの嵌合構造の断面図である。
【図１２】第１光コネクタと第２光コネクタとが嵌合を開始した状態の光コネクタの嵌合構造の断面図である。
【図１３】（ａ）は本発明の第１光コネクタの実施例２における第１固定部材の先端部分の斜視図、（ｂ）は、（ａ）に図示する係合部のＦ−Ｆ間断面図である。
【図１４】（ａ）は本発明の第１光コネクタの実施例３における第１固定部材の先端部分の斜視図、（ｂ）は、（ａ）に図示する係合部のＧ−Ｇ間断面図である。
【図１５】本発明の第１光コネクタの実施例４を示す断面斜視図である。
【図１６】従来例の分解斜視図である。
【図１７】図１６に図示するハウジングに各部材を組み付けたときのＨ−Ｈ間断面斜視図である。
【図１８】従来例の問題点を説明するための光コネクタの断面図である。
【発明を実施するための形態】
【００３１】
以下、図１ないし図１２を参照しながら、本発明に係る光コネクタの実施例１について、また、図１３を参照しながら、本発明に係る光コネクタの実施例２について、それぞれ説明する。
【実施例１】
【００３２】
図１ないし図１２には、本発明に係る光コネクタの実施例１が示されている。
図１は本発明の第１光コネクタの実施例１を示す分解斜視図、図２は図１に図示する第１ハウジングを斜め後方から視た斜視図、図３は第１固定部材を斜め前方から視た斜視図、図４は図１おけるＡ−Ａ間断面図であり、第１ハウジングに第１固定部材を組み付ける前の状態を示す断面図、図５は第１ハウジングに第１固定部材を仮係合した状態を図示する断面図、図６は第１ハウジングに第１固定部材を本係合した状態を示す断面図、図７は第２光コネクタの分解斜視図、図８は図７に示す第２ハウジングを斜め後方から視た斜視図、図９は図７に図示する第２固定部材を斜め後方から視た斜視図、図１０は図７おけるＢ−Ｂ間断面図であり、（ａ）は第２ハウジングに第２固定部材を仮係合した状態を図示する断面図、（ａ）は第２ハウジングに第２固定部材を本係合した状態を図示する断面図、図１１は第２固定部材が仮係合状態で第１光コネクタと第２光コネクタとが嵌合を開始した場合の光コネクタの嵌合構造の断面図、図１２は第１光コネクタと第２光コネクタとが嵌合を開始した状態の光コネクタの嵌合構造の断面図である。
なお、図中の矢印は、前後、上下、左右の各方向を示している（矢印の各方向は一例であるものとする）。
【００３３】
図１には、第１光コネクタ１が示されており、図７には、第２光コネクタ２が示されている。
本発明の実施例に係る光コネクタの嵌合構造は、第１光コネクタ１と、第２光コネクタ２と、を嵌合することによって構成され、この嵌合構造によって第１光コネクタ１に設けられる第１光ファイバ３（図１参照）と、第２光コネクタ２に設けられる第２光ファイバ４（図７参照）と、を光学的に接続するものである。
【００３４】
まず、第１光コネクタ１について説明する。
第１光コネクタ１は、図１に図示するように、先端にフェルール５を取り付けた一対の第１光ファイバ３と、第１ハウジング７と、第１固定部材９と、を備えて構成されている。
【００３５】
第１光ファイバ３は、導光材料からなり、いわゆるマルチモードプラスチック光ファイバによって実現する。第１光ファイバ３は絶縁性の合成樹脂からなる被覆部によって２重に被覆し、図１に図示するように、先端の被覆部を剥がすことによって露出するようになっている。
フェルール５は、第１光ファイバ３の先端を貫通孔によって保持する円筒状金属部材である。
【００３６】
第１ハウジング７は、合成樹脂等の絶縁材からなり、図１及び図２に図示するように、第２光コネクタ２（図７参照）に嵌合する第１ハウジング嵌合部１１と、各第１光ファイバ３のフェルール５を保持収容する二つのフェルール保持収容室１３を含むフェルール収容部１２と、を備えている。
【００３７】
第１ハウジング嵌合部１１は、図１及び図２に図示するように、略直方体形状をなし、前面に、後述する各第２光ファイバ４のフェルール６を取り付けた割スリーブ３５を挿入できる二つのスリーブ挿入孔１４が形成されている。各スリーブ挿入孔１４は、各フェルール保持収容室１３に連通している。
また、第１ハウジング嵌合部１１には、第１光コネクタ１と第２光コネクタ２との嵌合の際、後述する第２固定部材１０の嵌合方向突出壁部６１に突き当たって嵌合方向への移動を阻止されないように、嵌合方向突出壁部６１をガイドするガイド溝１５が形成されている。
【００３８】
ガイド溝１５は、後述する第２ハウジング８に本係止した第２固定部材１０の嵌合方向突出壁部６１の位置に対応して第１ハウジング嵌合部１１の下部に前端面から後方に向けて延びる溝である。
このガイド溝１５は、嵌合方向突出壁部６１の両側面に向かい合う一対の溝内側面１６と、嵌合方向突出壁部６１の下面に向かい合う溝底面１７と、を備えている。
このため、一対の溝内側面１６、及び、溝底面１７が嵌合方向突出壁部６１に重なる部分の面積を大きくなるように調整すると、第２固定部材１０が仮係合状態で無理に嵌合するときの荷重を大きくすることができ、第２固定部材１０が仮係合状態にあることを検知し易くなる。
例えば、仮係合時嵌合阻止壁部５３は、第２固定部材１０が仮係合状態で嵌合する場合にかかる荷重が本係合状態で係る荷重の２倍以上３倍以下の範囲となるように嵌合完了状態で第１ハウジング７に重なる部分の面積を調整するとよい。
【００３９】
フェルール収容部１２は、図１及び図２に図示するように、箱型形状をなし、第１固定部材９を組み付ける側となる下面に装着部１８が開口形成されているとともに、各フェルール５を後方から挿入できるように二つの挿入口１９が形成されている。
また、第１ハウジング７は、第１固定部材９を仮係合状態及び本係合状態で係合する被係合部２０（図４ないし図６参照）と、第１固定部材９を仮係合状態及び本係合状態で係合する一対の第２の被係合部２１と、を備えている。
【００４０】
被係合部２０は、図４ないし図６に示すように、第１ハウジング７のフェルール収容部１２における第１光ファイバ３の光軸方向先端側の内壁３４に凹状に形成されている。
本実施例においては、後述する第１固定部材９の係合部２６が係合することができるように断面略円弧状に形成されている。
【００４１】
各第２の被係合部２１は、第１ハウジング７の一方の側壁２２の一部を第１固定部材９の後述する三つの係合突起部２９の隣り合う二つの係合突起部２９に挟持可能な幅に形成した部分である。
より具体的には、第２の被係合部２１は、側壁２２の下端面から所定の間隔を隔てて開口部２４を形成することによって、開口部２４の上側内縁面と、側壁２２の上端面とを２つの係合突起部２９によって挟持する面とする壁からなる。
また、開口部２４は、各係合突起部２９が内部に収まるように前後方向の幅を調整するとともに、上下方向で先端部の係合突起部２９から基端部の係合突起部２９まで内部に収まるように上下方向の幅を調整する。
【００４２】
第１固定部材９は、図１及び図３に図示するように、第１ハウジング７とは別体に設け、且つ、第１ハウジング７に対して仮係合状態から本係合状態に係合状態を変化させて組み付けることによって第１光ファイバ３を第１ハウジング７に固定する固定部材である。
この第１固定部材９は、合成樹脂等の絶縁材からなり、本体部分を構成する底壁２５と、係合部２６と、一対の第２の係合部２７と、を備えている。
底壁２５は、フェルール収容部１２の装着部１９を覆うように装着部１９の形状に対応した外形矩形状をなす。底壁２５の上面には、壁部３３が突出して形成されている。
壁部３３は、第１光ファイバ３の光軸方向に沿って、長さ方向が底壁２５の先端の縁部中間から底壁２５の中央部近傍まで延びるように設けられている。壁部３３の先端６４は、特許請求の範囲における「係合部が設けられる部分」に相当するものである。
【００４３】
係合部２６は、第１ハウジング７の被係合部２０に係合する部分であり、係合部２６は、壁部３３の先端面から第１光ファイバ３の光軸方向に凸状に突出して形成されている。
係合部２６は、半球状をなし、係合部２６が形成される壁部３３の先端６４の肉厚よりも小さい半径となるように形成されている。
具体的には、係合部２６は、壁部３３の先端６４の上下方向の肉厚の１／４未満となる半径を有する半球状に形成されている。
【００４４】
一対の第２の係合部２７は、第１ハウジング７の一対の第２の被係合部２１に係合する部分であり、各第２の係合部２７は、底壁２５の後端側の側端部から上方に向けて弾性片状に突出して形成されている。
【００４５】
第２の係合部２７は、底壁２５の後端側の側端部から上方に向けて弾性片状に突出した弾性突出片部２８と、弾性突出片部２８の突出方向に沿って基端部、先端部、及び、基端部と先端部との間に外方に向けて突設した３つの係合突起部２９と、を備えている。
以下、３つの係合突起部２９を区別して説明する場合、先端部の係合突起部２９を先端係合突起部３０と、中間の係合突起部２９を中間係合突起部３１と、基端部の係合突起部２９を基端係合突起部３２と、それぞれいうものとする。
【００４６】
３つの係合突起部２９は、隣り合う係合突起部２９の間隔が第２の被係合部２１の上下方向の幅になるように調整されて形成されている。
このため、第１固定部材９は、先端係合突起部３０と中間係合突起部３１との間に第２の被係合部２１を挟持するようにして第１ハウジング７に仮係合する。
また、第１固定部材９は、中間係合突起部３１と基端係合突起部３２との間に第２の被係合部２１を挟持するようにして第１ハウジング７に本係合する。
すなわち、第１固定部材９は、先端係合突起部３０と中間係合突起部３１とを用いた仮係合状態から中間係合突起部３１と基端係合突起部３２とを用いた本係合状態に変化させて第１ハウジング７に係合することができるようになっている。
【００４７】
ここで、第１固定部材９を第１ハウジング７に組み付ける手順と、各部の動作について説明する。
まず、作業者は、図１に図示する一対の第１光ファイバ３に取り付けた各フェルール５をフェルール収容部１２に収容する。
そして、作業者は、第１固定部材９を第１ハウジング７の下側から第１ハウジング７の下面の装着部１８に向けて、図４に矢印Ｂで図示する方向に組み付ける。
【００４８】
しかる後、作業者は、図５に図示するように、第１固定部材９を第１ハウジング７の装着部１８に圧入する。すると、第１固定部材９の係合部２６が装着部１８の内壁３４に当接するとともに、第１固定部材９の図３に図示する先端係合突起部３０と中間係合突起部３１との間に、図２に図示ずる第２の被係合部２１を挟持するようにして、第１固定部材９を第１ハウジング７に対して図５に図示するように仮係合状態にする。
【００４９】
しかる後、作業者は、第１固定部材９を図５に矢印Ｃで図示する方向に押し込む。すると、図６に図示するように、第１固定部材９の係合部２６が第１ハウジング７の被係合部２０に係合するとともに、第１固定部材９の図３に図示する中間係合突起部３１と基端係合突起部３２との間に、図２に図示する第２の被係合部２１を挟持するようにして、第１固定部材９を第１ハウジング７に対して本係合状態にする。
以上により、第１固定部材９の第１ハウジング７への組み付けが完了する。
【００５０】
次に、第２光コネクタ２について説明する。
第２光コネクタ２は、図７に図示するように、先端にフェルール６を取り付けた一対の第２光ファイバ４と、第２ハウジング８と、第２固定部材１０と、一対の光ファイバ４に対応して設けた二つの割スリーブ３５と、バネ部材３６と、を備えて構成されている。
【００５１】
第２光ファイバ４は、第１光ファイバ３と同様に導光材料からなり、いわゆるマルチモードプラスチック光ファイバによって実現する。
【００５２】
第２ハウジング８は、合成樹脂等の絶縁材からなり、図７及び図８に図示するように、第１光コネクタ１に嵌合する第２ハウジング嵌合部３７と、各第２光ファイバ４のフェルール６を保持収容する２つのフェルール保持収容室３９を含むフェルール収容部３８と、を備えている。
【００５３】
第２ハウジング嵌合部３７は、第１ハウジング７の後述する第１ハウジング嵌合部１１の横断面形状に対応した矩形状の嵌入口を有する箱型形状に形成され、図１及び図２に図示する第１ハウジング７の第１ハウジング嵌合部１１と嵌合するようになっている。
この第２ハウジング嵌合部３７は、上壁４０のフェルール収容部３８側端部に、第２固定部材１０の後述する仮係合時嵌合阻止壁部５３が第２ハウジング嵌合部３７内に挿通可能に開口した挿通用スリット４２を形成する。
【００５４】
フェルール収容部３８は、第２固定部材１０を組み付ける側となる上面に装着部４３を備えるとともに、各フェルール６を後方から挿入できるように、後壁６３に二つの挿入口４４を備えた箱型形状に形成されている。
【００５５】
また、第２ハウジング８は、第２固定部材１０を仮係合、及び、本係合する一対の被係合部４５を有する。
第２ハウジング８の各被係合部４５は、第２ハウジング８の一方の側壁４６の一部を第２固定部材１０の後述する３つの係合突起部５６の隣り合う二つの係合突起部２３に挟持可能な幅に形成した部分である。
より具体的には、被係合部４５は、側壁４６の上端面から所定の間隔を隔てて開口部４７を形成することによって、開口部４７の上側内縁面と、側壁４６の上端面とを二つの係合突起部５６によって挟持する面とする壁からなる。
また、開口部４７は、各係合突起部５６が内部に収まるように前後方向の幅を調整するとともに、上下方向で先端部の係合突起部５６から基端部の係合突起部５６まで内部に収まるように上下方向の幅を調整する。
なお、第２ハウジング８の後壁６３の内面の所定位置（例えば、図７に図示する矢印Ｄが指示する部分）に被係合部（図示せず）を設ける場合において、この被係合部は、特許請求の範囲における「第２の被係合部」に相当するものである。
【００５６】
また、第２ハウジング嵌合部３７とフェルール収容部３８とを区画する隔壁４８には、各フェルール保持収容室３９に収容した各フェルール６の先端が第２ハウジング嵌合部３７側に突出可能に形成した二つの挿通孔４９と、挿通用スリット４２に連続して仮係合時嵌合阻止壁部４１を下方に向けて誘導するガイドスリット５０と、を備えている。
【００５７】
第２ハウジング８は、後壁６３の内面の所定位置（例えば、図７に図示する矢印Ｄが指示する部分）に凹状に形成される被係合部（図示せず）を設けてもよいものとする。
【００５８】
第２固定部材１０は、図７に図示するように、第２ハウジング８とは別体に設け、且つ、第２ハウジング８に対して仮係合状態から本係合状態に係合状態を変化させて組み付けることによって第２光ファイバ４を第２ハウジング８に固定する固定部材である。
この第２固定部材１０は、合成樹脂等の絶縁材からなり、図９に図示するように、本体部分を構成する天井壁５１と、一対の係合部５２と、仮係合時嵌合阻止壁部５３と、第２光ファイバ固定壁部５４と、を備えている。
【００５９】
天井壁５１は、図８に図示する第２ハウジング８の装着部４３を覆うように装着部４３の形状に対応した外形矩形状に形成されている。
【００６０】
一対の係合部５２は、図８に図示する第２ハウジング８の一対の被係合部４５に係合する部分であり、各係合部５２は、第２光ファイバ４の光軸方向における天井壁５１の先端側の側端部から下方に向けて弾性片状に突出して形成されている。
なお、後述する第２光ファイバ固定壁部５４の外面の所定の位置（例えば、図９に図示する矢印Ｅが指示する部分）に係合部（図示せず）を設ける場合において、一対の係合部５２は、特許請求の範囲における「第２の係合部」に相当するものである。
【００６１】
係合部５２は、天井壁５１の先端側の側端部から下方に向けて弾性片状に突出した弾性突出片部５５と、弾性突出片部５５の突出方向に沿って基端部、先端部、及び、基端部と先端部との間に外方に向けて突設した三つの係合突起部５６と、を備えている。
以下、三つの係合突起部５６を区別して説明する場合、先端部の係合突起部５６を先端係合突起部５７と、中間の係合突起部５６を中間係合突起部５８と、基端部の係合突起部５６を基端係止突起部５９と、それぞれいうものとする。
【００６２】
三つの係合突起部５６は、隣り合う係合突起部５６の間隔が被係合部４５の上下方向の幅になるように調整する。
このため、第２固定部材１０は、先端係合突起部５７と中間係合突起部５８との間に被係合部４５を挟持するようにして第２ハウジング８に仮係合する。
また、第２固定部材１０は、中間係合突起部５８と基端係合突起部５９との間に被係合部４５を挟持するようにして第２ハウジング８に本係合する。
すなわち、第２固定部材１０は、先端係合突起部５７と中間係合突起部５８とを用いた仮係合状態から中間係合突起部５８と基端係合突起部５９とを用いた本係合状態に変化させて第２ハウジング８に係合することができるようになっている。
【００６３】
仮係合時嵌合阻止壁部５３は、図７に図示するように、天井壁５１の第２ハウジング嵌合部３７側の端部から下方に向けて突出した基部６０と、基部６０の下端部に第２ハウジング嵌合部３７に向けて突設した嵌合方向突出壁部６１と、を備えている。
この嵌合方向突出壁部６１は、第２固定部材１０が、第２ハウジング８に仮係合及び本係合した状態で、第２ハウジング嵌合部３７側に突出するように位置する。
このため、第２固定部材１０を第２ハウジング８に係合する場合、嵌合方向突出壁部６１は、挿通用スリット４２に挿通するとともに、ガイドスリット５０を通って第２ハウジング嵌合部３７内に移動するようになっている。
【００６４】
第２光ファイバ固定壁部５４は、天井壁５１の後端から下方に向けて突出して形成されており、第２光ファイバ４が挿通可能に形成された二つの挿通溝６２を備えている。
第２光ファイバ固定壁部５４には、この第２光ファイバ固定壁部５４の外面の所定の位置（例えば、図９に図示する矢印Ｅが指示する部分）に係合部（図示せず）を設けてもよいものとする。第２光ファイバ固定壁部５４における係合部が形成される部分は、特許請求の範囲における「係合部が設けられる部分」に相当するものである。
係合部は、第２ハウジング８の被係合部に係合する部分であり、係合部は、第２光ファイバ固定壁部５４の外面から第２光ファイバ４の光軸方向に凸状に突出して形成されている。
係合部は、半球状をなし、係合部が形成される第２光ファイバ固定壁部５４の肉厚よりも小さい半径となるように形成されている。
具体的には、係合部は、第２光ファイバ固定壁部５４の肉厚の１／４未満の半径を有する半球状に形成されている。
【００６５】
割スリーブ３５は、第１光ファイバ３に取り付けたフェルール５、及び、第２光ファイバ４に取り付けたフェルール６のそれぞれの先端を筒内に挿入することによって第１光ファイバ３と第２光ファイバ４とを調芯する部材である。
この割スリーブ３５は、円筒状の弾性部材であり、周方向の一箇所に一端から他端まで延びるスリットを形成することによって、フェルール５及びフェルール６の径に応じて拡大するようになっている。
【００６６】
バネ部材３６は、第２固定部材１０に装着した状態で第２固定部材１０とともに第２ハウジング８に組み付けることによって、フェルール収容部３８内に収容した各フェルール６を第１光コネクタ１側に付勢するものである。
このようなバネ部材３６によって、第１光コネクタ１と第２光コネクタ２とのコネクタ嵌合状態において、第１光ファイバ３の各フェルール５が第２光ファイバ４の対応する各フェルール６と光接続に必要な所定の間隔を保ちながら向かい合わすようになっている。
【００６７】
ここで、第２固定部材１０を第２ハウジング８に組み付ける手順と、各部の動作について説明する。
まず、作業者は、一対の第２光ファイバ４に取り付けた各フェルール６をフェルール収容部３８に収容する。
【００６８】
そして、作業者は、バネ部材３６を装着した第２固定部材１０を、図１０（ａ）に図示するように、第２ハウジング８に仮係合する。なお、第２固定部材１０の第２光ファイバ固定壁部５４に係合部が形成されている場合は、この仮係合状態において、第２固定部材１０の第２光ファイバ固定壁部５４の係合部が後壁６３の内面に当接する。
この仮係合状態では、仮係合時嵌合阻止壁部５３の嵌合方向突出壁部６１が第２ハウジング嵌合部３７内に嵌入する第１コネクタハウジング７に突き当てられるように位置している。
【００６９】
その後、作業者は、第２固定部材１０を、図１０（ｂ）に図示するように、第２ハウジング８に本係合する。なお、第２固定部材１０の第２光ファイバ固定壁部５４に係合部が、第２ハウジング８の後壁６３に被係合部が、それぞれ形成されている場合は、この本係合状態において、第２固定部材１０の第２光ファイバ固定壁部５４の係合部が、後壁６３の被係合部に当接する。
以上により、第２固定部材１０の第２ハウジング８への組み付けが完了する。
【００７０】
次に、第１光コネクタ１と第２光コネクタ２とを嵌合する手順と、各部の動作について説明する。
図１１に図示するように、第２光コネクタ２の第２固定部材１０が仮係合状態で第１ハウジング嵌合部１１を第２ハウジング嵌合部３７内に嵌入する場合、第１ハウジング嵌合部１１が第２ハウジング嵌合部３７内の嵌合完了位置に到達する前に嵌合方向突出壁部６１に突き当てられ、第１光コネクタ１の移動が阻止される。
このため、第１光コネクタ１と第２光コネクタ２とを嵌合することができず、作業者は、第２固定部材１０が仮係合状態である旨を知ることができる。
そこで、作業者は、第２固定部材１０を第２ハウジング８に本係合にしてから、再度、第１ハウジング嵌合部１１を第２ハウジング嵌合部３７内に嵌入する。
【００７１】
第２光コネクタ２の第２固定部材１０が本本係合状態で第１ハウジング嵌合部１１を第２ハウジング嵌合部３７内に嵌入する場合、嵌合方向突出壁部６１が第１ハウジング嵌合部１１のガイド溝１５内に誘導されるため、図１２に図示するように、嵌合方向突出壁部６１が第１光コネクタ１の移動を阻止することなく第１光コネクタ１と第２光コネクタ２とが嵌合する。
【００７２】
なお、この手順の説明では、作業者が手作業で第１光コネクタ１と第２光コネクタ２とを嵌合するものを例示したが、これに限らず、自動機等を用いて第１光コネクタ１と第２光コネクタ２とを嵌合するようにしても構わない。この場合、自動機は嵌合する際にかかる荷重が所定以上の場合に、第２固定部材１０が仮係合状態であることを検出し、異常を報知するようにするとよい。
【００７３】
以上、図１ないし図１２を参照しながら説明してきた通り、本発明の光コネクタによれば、固定部材９，１０をハウジング７，８に仮係合状態にすることができる。そうすると、固定部材９，１０をハウジング７，８に装着する途中で光ファイバ３，４が引っ張られても固定部材９，１０がハウジング７，８から外れることがなくなる。このことから、固定部材９，１０がハウジング７，８から落下して破損することがなくなる。
したがって、従来よりも固定部材９，１０を破損なく組み付ける組み付け作業性の向上を図ることができるという効果を奏する。
【００７４】
また、本発明の光コネクタによれば、固定部材９，１０が仮係合状態のときに、固定部材９，１０は、ハウジング７，８の装着部１８，４３に圧入されて保持される。このことから、固定部材９，１０をハウジング７，８に装着する途中で光ファイバ３，４が引っ張られても固定部材９，１０がハウジング７，８から外れることをより確実に防ぐことができる。
また、本発明の光コネクタによれば、固定部材９，１０が本係合状態のときに、光ファイバ３，４の光軸方向における固定部材９，１０の一端側に形成された係合部２６がハウジング７，８の被係合部２０に係合し、光ファイバの光軸方向における固定部材９，１０の他端側に形成された第２の係合部２７，５２がハウジングの第２の被係合部２１，４５に係合する。このことから、外部からの衝撃を受けても、光ファイバ３，４の光軸方向における固定部材９，１０の一端又は他端のいずれか一方が下方へ落ち込みハウジング７，８の装着部１８，４３から垂れ下がることがなくなる。
したがって、より確実に、固定部材９，１０をハウジング７，８に組み付ける組み付け作業性の向上を図ることができるという効果を奏する。
さらに、本発明の光コネクタによれば、固定部材９，１０が本係合状態のときに、光ファイバ３，４の光軸方向における固定部材９，１０の一端側及び他端側をハウジング７，８に係合しておくことができる。そのため、外部からの衝撃を受けても、光ファイバ３，４の光軸方向における固定部材９，１０の一端側又は他端側のいずれかが下方へ落ち込むことがなく、固定部材９，１０をハウジング７，８の装着部１８，４３に確実に組み付けておくことができる。そうすることにより、固定部材９，１０によって光ファイバ３，４をハウジング７，８に確実に固定することができる。このことから、光ファイバ３，４のばたつきや、光軸ズレを防ぐことができる。
したがって、光コネクタ間での結合ばらつきを防ぎ、システムリンクの信頼性を向上することができるという効果を奏する。
【００７５】
さらに、本発明の光コネクタによれば、係合部２６は、固定部材９，１０における係合部２６が設けられる部分の肉厚よりも小さい半径を有する半球状に形成される。このことから、ハウジング７，８に対する固定部材９，１０の組み付けが容易となる。
したがって、固定部材９，１０をハウジング７，８に組み付ける組み付け作業性のさらなる向上を図ることができるという効果を奏する。
【実施例２】
【００７６】
本発明に係る光コネクタは、実施例１の他、下記の実施例２を用いてもよいものとする。
図１３には、本発明に係る光コネクタの実施例２が示されている。
図１３は、本発明の光コネクタの実施例２における第１固定部材を示す図であって、（ａ）は、第１固定部材の先端部分の斜視図、（ｂ）は、（ａ）に図示する係合部のＦ−Ｆ間断面図である。
【００７７】
本実施例に係る光コネクタの第１固定部材９０は、図１３に図示する係合部９１以外は、実施例１で説明した第１固定部材９と同様の構成及び構造であるものとする。したがって、本実施例では、第１固定部材９０について、係合部９１以外の部分の説明を省略する。
係合部９１は、第２ハウジング（図示せず）の被係合部に係合することにより、第１固定部材９０を第２ハウジングに固定する部分として形成されている。係合部９１は、第１固定部材９０の壁部３３の先端６４から第１光ファイバ３（図１参照）の光軸方向（図１３において矢印で指し示す前方向）に突出して形成されている。なお、壁部３３の先端６４は、特許請求の範囲における「係合部が設けられる部分」に相当するものである。係合部９１の先端位置の高さは、実施例１の係合部２６の先端位置の高さと同じ高さに形成されている（係合部９１の先端位置の高さは一例であるものとする）。
【００７８】
係合部９１は、円柱状部分９２と、球面状部分９３と、を備えている。円柱状部分９２は、係合部９１の基端部となる部分として形成されている。円柱状部分９２は、壁部３３の先端６４に連続し円柱状に突出して形成されている。円柱状部分９２は、特許請求の範囲における「係合部が設けられる部分」に相当する壁部３３の先端６４の肉厚よりも小さい半径となるように形成されている。具体的には、係合部９１は、壁部３３の先端６４の上下方向の肉厚の１／４未満となる半径を有する円柱状に形成されている。
球面状部分９３は、係合部９１の先端部となる部分として形成されている。球面状部分９３は、円柱状部分９２の先端に連続し、凸レンズのような球面状の形状に形成されている。このように、係合部９１の先端部を球面状に形成することにより、単に円柱状に形成された係合部に比べて、第１ハウジング７（図１及び図２参照）に対する第１固定部材９０の組み付けが容易となる。
【００７９】
本実施例では、特に図示しないが、第２ハウジングの被係合部は、第１固定部材９０の係合部９１が係合可能な形状に形成されるものとする。したがって、本実施例における第２ハウジングの被係合部は、入り口側が円柱状で、奥部側が球面状となる凹部に形成される。
【００８０】
以上、図１３を参照しながら説明してきたように、本発明の光コネクタによれば、実施例１と同様の効果を奏する。
【実施例３】
【００８１】
本発明に係る光コネクタは、実施例１又は２の他、下記の実施例３を用いてもよいものとする。
図１４には、本発明に係る光コネクタの実施例３が示されている。
図１４は、本発明の光コネクタの実施例３における第１固定部材を示す図であって、（ａ）は、第１固定部材の先端部分の斜視図、（ｂ）は、（ａ）に図示する係合部のＧ−Ｇ間断面図である。
【００８２】
本実施例に係る光コネクタの第１固定部材９４は、図１４に図示する係合部９５以外は、実施例１で説明した第１固定部材９と同様の構成及び構造であるものとする。したがって、本実施例では、第１固定部材９４について、係合部９５以外の部分の説明を省略する。
係合部９５は、第２ハウジング（図示せず）の被係合部に係合することにより、第１固定部材９４を第２ハウジングに固定する部分として形成されている。係合部９５は、第１固定部材９４の壁部３３の先端６４から第１光ファイバ３（図１参照）の光軸方向（図１４において矢印で指し示す前方向）に突出して形成されている。なお、壁部３３の先端６４は、特許請求の範囲における「係合部が設けられる部分」に相当するものである。係合部９５の先端位置の高さは、実施例１の係合部２６の先端位置の高さと同じ高さに形成されている（係合部９５の先端位置の高さは一例であるものとする）。
【００８３】
係合部９５は、略円錐状に形成されている。係合部９５の基端部９６は、特許請求の範囲における「係合部が設けられる部分」に相当する壁部３３の先端６４の肉厚よりも小さい半径となるように形成されている。具体的には、係合部９５は、壁部３３の先端６４の上下方向の肉厚の１／４未満となる半径を有する略円錐状に形成されている。
係合部９５の先端部９７は、球面状の形状を有し、図１４（ｂ）に図示するように、断面が円弧状に形成されている。このように、係合部９５の先端部９７を球面状に形成することにより、先端が球面状に形成されていない円錐状の形状を有する係合部に比べて、第１ハウジング７（図１及び図２参照）に対する第１固定部材９４の組み付けが容易となる。係合部９５は、図１４に図示するように、先端部９７を係合部９５の中心軸よりも下方にずれた位置に配置するように形成されている。
【００８４】
本実施例では、特に図示しないが、第２ハウジングの被係合部は、第１固定部材９４の係合部９５が係合可能な形状に形成されるものとする。したがって、本実施例における第２ハウジングの被係合部は、係合部９５が係合可能な略円錐状の凹部に形成される。
【００８５】
以上、図１４を参照しながら説明してきたように、本発明の光コネクタによれば、実施例１と同様の効果を奏する。
【実施例４】
【００８６】
本発明に係る光コネクタは、実施例１、２又は３の他、下記の実施例４を用いてもよいものとする。
図１５には、本発明に係る光コネクタの実施例４が示されている。
図１５は、本発明の光コネクタの実施例４を示す斜視断面図である。
【００８７】
本実施例に係る光コネクタの嵌合構造は、図１５に図示するように、第１ハウジング７３に第１光ファイバ７１を保持した第１光コネクタ７０と、第２ハウジングに第２光ファイバを保持した第２光コネクタ（図示せず）と、をコネクタ嵌合することによって、第１光コネクタ７０の第１光ファイバ７１と、第２光コネクタの第２光ファイバとを光学的に接続するものである。
なお、第２光コネクタの構成及び構造は、実施例１で説明した第２光コネクタ２と同様の構成及び構造であるものとする。
【００８８】
本実施例において、第１光ファイバ７１の先端に取り付けられるフェルール７２は、実施例１におけるフェルール５及びフェルール６と同じ構成及び構造である。フェルール７２は、先端側から順に、第１フランジ７３と、第２フランジ７４と、第３フランジ７５とが所定の間隔をあけて設けられている。
【００８９】
第１ハウジング７３のフェルール収容部７８に形成されたフェルール保持収容室７９には、光ファイバ係止部８０が設けられている。
具体的には、光ファイバ係止部８０は、第１ハウジング７３の左側壁８１と、第１ハウジング７３の右側壁８２のそれぞれの内面に連成され弾性片状に形成される弾性突出片部８３と、弾性突出片部８３の先端に連成されフェルール保持収容室７９の内側に突出するように形成される係止突起部８４と、を備えている。
【００９０】
ここで、第１ハウジング７３に第１光ファイバ７１を組み付ける手順と、各部の動作について説明する。
まず、第１光ファイバ７１を、この先端にフェルール７２を取り付けた状態で、第１ハウジング７３の挿入口８４に挿通する。
しかる後、フェルール７２がフェルール保持収容室７９の光ファイバ係止突起８４を通過すると、フェルール７２の第１フランジ７３と第２フランジ７４との間に光ファイバ係止突起８４が係合する。
このように、フェルール７２の第１フランジ７３と第２フランジ７４との間に光ファイバ係止突起８４が係合すると、フェルール７２はフェルール保持収容室７９により確実に保持されることになる。
以上により、第１ハウジング７３への第１光ファイバ７１の組み付けが完了する。
【００９１】
以上、図１５を参照しながら説明してきた通り、本発明の光コネクタによれば、実施例１と同様の効果を奏する他、ハウジング７６に設けた光ファイバ係止部８０が光ファイバ７１に係合しハウジング７６から光ファイバ７１が光軸方向に抜けるのを防止することができる。このことから、光ファイバ７１のばたつきや、光軸ズレを、より確実に防ぐことができる。
したがって、光コネクタ間での結合ばらつきを、より確実に防ぎ、システムリンクの信頼性を、より向上することができるという効果を奏する。
【００９２】
この他、本発明は本発明の主旨を変えない範囲で種々変更実施可能なことは勿論である。
【００９３】
上記説明では、第１ハウジング７３にのみ光ファイバ係止部８０を設ける構成であったが、これに限らず、つぎのような構成にしてもよいものとする。
すなわち、例えば、図８に図示する第２ハウジング８のフェルール収容部３８に形成されたフェルール保持収容室３９内にも光ファイバ係止部を設ける構成としてもよいものとする。
この光ファイバ係止部は、具体的には、第２ハウジング８の両側壁４６のそれぞれの内面に連成され弾性片状に形成される弾性突出片部と、弾性突出片部の先端に連成されフェルール保持収容室３９の内側に突出するように形成される係止突起部と、を備える構成となる。
【符号の説明】
【００９４】
１，７０…第１光コネクタ（光コネクタ）、  ２…第２光コネクタ（光コネクタ）、  ３，７１…第１光ファイバ（光ファイバ）、  ４…第２光ファイバ（光ファイバ）、  ５，６，７２…フェルール、  ７，７６…第１ハウジング（ハウジング）、  ８…第２ハウジング（ハウジング）、  ９，７７，９０，９４…第１固定部材（固定部材）、  １０…第２固定部材（固定部材）、  １１…第１ハウジング嵌合部、  １２，３８，７８…フェルール収容部、  １３，３９，７９…フェルール保持収容室、  １４…スリーブ挿入孔、  １５…ガイド溝、  １６…溝内側面、  １７…溝底面、  １８，４３…装着部、  １９，４４…挿入口、  ２０…被係合部、  ２１…第２の被係合部、  ２２，４６…側壁、  ２４，４７…開口部、  ２５…底壁、  ２６，９１，９５…係合部、  ２７…第２の係合部、  ２８，５５…弾性突出片部、  ２９，５６…係合突起部、  ３０，５７…先端係合突起部、  ３１，５８…中間係合突起部、  ３２，５９…基端係合突起部、  ３３…壁部、  ３４…内壁、  ３５…割スリーブ、  ３６…バネ部材、  ３７…第２ハウジング嵌合部、  ４０…上壁、  ４２…挿通用スリット、  ４５…被係合部（第２の被係合部）、  ４８…隔壁、  ４９…挿入孔、  ５０…ガイドスリット、  ５１…天井壁、  ５２…係合部（第２の係合部）、  ５３…仮係合時嵌合阻止壁部、  ５４…フェルールガイド壁部、  ６０…基部、  ６１…嵌合方向突出壁部、  ６２…挿通溝、  ６３…後壁、  ６４…先端、  ７３…第１フランジ、  ７４…第２フランジ、  ７５…第３フランジ、  ８０…光ファイバ係止部、  ８１…左側壁、  ８２…右側壁、  ８３…弾性突出片部、  ８４…係止突起部、  ９２…円柱状部分、  ９３…球面状部分、  ９６…基端部、  ９７…先端部
【図１】
0006346070.tif 000002
【図２】
0006346070.tif 000003
【図３】
0006346070.tif 000004
【図４】
0006346070.tif 000005
【図５】
0006346070.tif 000006
【図６】
0006346070.tif 000007
【図７】
0006346070.tif 000008
【図８】
0006346070.tif 000009
【図９】
0006346070.tif 000010
【図１０】
0006346070.tif 000011
【図１１】
0006346070.tif 000012
【図１２】
0006346070.tif 000013
【図１３】
0006346070.tif 000014
【図１４】
0006346070.tif 000015
【図１５】
0006346070.tif 000016
【図１６】
0006346070.tif 000017
【図１７】
0006346070.tif 000018
【図１８】
0006346070.tif 000019